(57)【要約】      （修正有）【課題】風の吹かない室内でも美しい形を保つことができる室内鯉のぼりセットを提供する。【解決手段】吹き流しと、鯉のぼりと、これらを支える支柱とを備えた室内鯉のぼりセットについて、前記鯉のぼりは、外観を構成する鯉のぼり本体と、該鯉のぼり本体内に挿入して鯉のぼり本体にふくらみを持たせる立体形状保持部材と、前記鯉のぼり本体の少なくとも尾びれ部分に設けられて該尾びれの上辺を付け根から先端へ向かって上方へ持ち上げる尾びれ形状保持部材とを備え、前記立体形状保持部材と前記尾びれ形状保持部材とが別部材により構成した。【選択図】図５
0003146978.tif 000002
【実用新案登録請求の範囲】
【請求項１】
吹き流しと、
鯉のぼりと、
これらを支える支柱とを備え、
前記鯉のぼりは、
外観を構成する鯉のぼり本体と、
該鯉のぼり本体内に挿入して鯉のぼり本体にふくらみを持たせる立体形状保持部材と、
前記鯉のぼり本体の少なくとも尾びれ部分に設けられて該尾びれの上辺を付け根から先端へ向かって上方へ持ち上げる尾びれ形状保持部材とを備え、
前記立体形状保持部材と前記尾びれ形状保持部材とが別部材により構成された
室内鯉のぼりセット。
【請求項２】
前記立体形状保持部材は、前記鯉のぼり本体の口から尾びれ付け根付近まで挿入され、
前記尾びれ形状保持部材は、前記鯉のぼり本体の背中側中央の尾びれ付け根付近から尾びれ上端付近まで装着され、
立体形状保持部材と尾びれ形状保持部材とが前記鯉のぼり本体の尾びれ付け根付近で重なるように構成された
請求項１記載の室内鯉のぼりセット。
【請求項３】
前記尾びれ形状保持部材は、
塑性変形する針金若しくは該針金を有する部材である
請求項１または２記載の室内鯉のぼりセット。
【請求項４】
前記鯉のぼり本体は、少なくとも背中に沿って縫製されて内側に縫い代を有する構成とし、
前記尾びれ形状保持部材は、帯状部材の内部に塑性変形する針金を設けたコーティング針金で構成し、
前記コーティング針金の帯状部材部分を前記縫い代に縫合する構成とした
請求項３記載の室内鯉のぼりセット。
【請求項５】
前記立体形状保持部材は、
発泡ウレタンまたはスポンジで構成した
請求項１から４のいずれか１つに記載の室内鯉のぼりセット。
【請求項６】
前記立体形状保持部材は、
前記鯉のぼり本体の口部と尾びれ部に対応する両端面が化粧部材で覆われている
請求項１から５のいずれか１つに記載の室内鯉のぼりセット。
【請求項７】
前記立体形状保持部材は、円筒形状に形成された
請求項１から６のいずれか１つに記載の室内鯉のぼりセット。
【請求項８】
前記支柱は、鉛直支柱と、その上端付近に一端付近が装着される水平支柱とで構成され、
該水平支柱により前記吹き流し本体の口部が前記鉛直支柱に近接する配置で該吹き流し本体を装着する構成とし、
該吹き流し本体の下端中央付近と前記鯉のぼり本体の背びれ部とを連結部材で連結し、
前記吹き流し本体の口部の上下と前記鯉のぼり本体の口部の上下に固定紐を挿通する固定紐挿通孔をそれぞれ設け、
１本の固定紐を各固定紐挿通孔に巻きつけながら順番に挿通し、
該固定紐を、各吹き流し本体および鯉のぼり本体の間部分で前記鉛直支柱に取り付け部材で取り付ける構成とした
請求項１から７のいずれか１つに記載の室内鯉のぼりセット。
【請求項９】
前記連結部材は、
一端が前記吹き流し本体の下端中央付近に装着される連結紐と、
該連結紐の他端に接続されて前記鯉のぼり本体の背びれ部を挟持する挟持具とで構成された
請求項８記載の室内鯉のぼりセット。
【考案の詳細な説明】
【技術分野】
【０００１】
この考案は、例えば風の吹かない室内に設置されるような室内鯉のぼりセットに関する。
【背景技術】
【０００２】
従来より、日本では端午の節句に屋外で鯉のぼりを飾る習慣がある。この屋外用の鯉のぼりセットは、しっかりと固定したポールに吹き流しや鯉のぼりをロープで取り付けて使用される。この鯉のぼりセットは、様々な種類が提供されており、大きなものでは１０ｍになるものもある。このような屋外用の鯉のぼりは、風を受けて吹き流しや鯉のぼりがたなびくものであり、特に大きな屋外用の鯉のぼりは、巨大な鯉が空中を泳いでいるかの如く雄大な景色を作り出す。
【０００３】
このような屋外用の鯉のぼりは、風によってしっかりと膨らみ泳ぐものであるから、風が少ないと垂れ下がることになる。これを解消するために、骨格内蔵の鯉のぼりセットが提案されている（特許文献１参照）。この鯉のぼりセットは、空気やガスを注入するチューブ骨格を備えることで、弱い風でも雄大にたなびくことができるとされている。
【０００４】
一方、室内で手軽に鯉のぼりを楽しみたいという要望もある。室内では、風がなくとも鯉のぼりを膨らんだ状態に保つ必要がある。これに対し、上述した骨格内蔵の鯉のぼりセットでは、美しい状態に膨らませることができないという問題がある。すなわち、鯉のぼり本体は、鯉模様の施された布によって構成されるため、骨組みを入れると肋骨が浮き上がるように見えてしまう。このため、上述のような骨組みを使う方法は適切ではない。
【０００５】
この室内での要望に対応できるものとして、例えば、座敷用掲揚立体鯉のぼりが提案されている（特許文献２参照）。この座敷用掲揚立体鯉のぼりは、ポールの上部に横棒が取り付けられ、この横棒にロープの先端が螺着され、ロープの他端が前記ポールの下部に結びつけられている。そして、吹き流しの上部中央部分や鯉のぼりの背びれ部分が前記ロープに取りつけられ、また吹き流しの口部や鯉のぼりの口部が小リングによって前記ポールに取り付けられている。さらに、鯉のぼり本体内に鯉型のフィルム風船を収容させて膨脹させる。これにより、設置面と平行して鯉が泳いでいるように見えるとされている。
【０００６】
しかし、このようにフィルム風船を使用すると、空気注入や空気の抜取に手間がかかるという問題点がある。また、万一フィルム風船に孔が開くと、膨らんだ形状を維持できないという問題点もある。
【０００７】
一方、空気注入や空気の抜取の手間を防止できるものとして、シート部材を用いた室内用鯉のぼりが提案されている（特許文献３参照）。この室内用鯉のぼりは、シート部材を曲げて挿入することによって鯉のぼり本体の立体的な形状を保つものである。
【０００８】
しかし、この方法であっても、シート部材を曲げて挿入するという手間がかかるという問題点がある。また、湾曲させた一端側に設けられた一対のシート突起を重ね合わせて尾びれの形状を保持するものであるから、残りの辺が連結されない離間状態となる。このため、鯉のぼり本体の下方半分程度しか丸い形を保てず、美しさに欠けるという問題点もある。
【特許文献１】特開２００３−２９９５６７号公報
【特許文献２】実用新案登録第３１２９５８０号公報
【特許文献３】実用新案登録第３１１７８０号公報
【考案の開示】
【考案が解決しようとする課題】
【０００９】
この考案は、上述した問題点に鑑み、取扱の簡便性に優れ、しかも美しい形を保つことができる室内鯉のぼりセットを提供し、利用者の満足度を向上させることを目的とする。
【課題を解決するための手段】
【００１０】
この考案は、吹き流しと、鯉のぼりと、これらを支える支柱とを備え、前記鯉のぼりは、外観を構成する鯉のぼり本体と、該鯉のぼり本体内に挿入して鯉のぼり本体にふくらみを持たせる立体形状保持部材と、前記鯉のぼり本体の少なくとも尾びれ部分に設けられて該尾びれの上辺を付け根から先端へ向かって上方へ持ち上げる尾びれ形状保持部材とを備え、前記立体形状保持部材と前記尾びれ形状保持部材とが別部材により構成された室内鯉のぼりセットであることを特徴とする。  
これにより、取扱の簡便性に優れ、しかも美しい形を保つことができる室内鯉のぼりセットを提供することができる。
【００１１】
この考案の態様として、前記立体形状保持部材は、前記鯉のぼり本体の口から尾びれ付け根付近まで挿入され、前記尾びれ形状保持部材は、前記鯉のぼり本体の背中側中央の尾びれ付け根付近から尾びれ上端付近まで装着され、立体形状保持部材と尾びれ形状保持部材とが前記鯉のぼり本体の尾びれ付け根付近で重なるように構成することができる。
【００１２】
これにより、鯉のぼり本体の口から尾びれ付け根付近までを立体形状保持部材によって美しい形状にし、背中側中央の尾びれ付け根付近から尾びれ上端付近までを尾びれ形状保持部材によって美しい形状にすることができ、さらに、この接続部分を自然に繋げることができる。  
また、針金が鯉のぼり本体全体に設けられるのではなく尾びれ部分にのみ設けられているため、尾びれ以外の背中部分の形状が針金によって意図しない形状で固定されることを防止でき、またこの意図しない形状を修正する手間を省略することができる。
【００１３】
またこの考案の態様として、前記尾びれ形状保持部材は、塑性変形する針金若しくは該針金を有する部材とすることができる。  
これにより、針金の塑性変形機能を利用して尾びれを美しい形状に調整することができる。
【００１４】
またこの考案の態様として、前記鯉のぼり本体は、少なくとも背中に沿って縫製されて内側に縫い代を有する構成とし、前記尾びれ形状保持部材は、帯状部材の内部に塑性変形する針金を設けたコーティング針金で構成し、前記コーティング針金の帯状部材部分を前記縫い代に縫合する構成とすることができる。  
これにより、鯉のぼり本体の尾びれ部分に塑性変形する針金を容易に取り付けることができる。
【００１５】
またこの考案の態様として、前記立体形状保持部材は、発泡ウレタンまたはスポンジで構成することができる。  
これにより、軽量で取扱容易な立体形状保持部材を利用できる。特に、発泡ウレタンやスポンジの弾性機能により、曲げたり衝撃を受けて一瞬変形した場合でも元の形状に戻って美しい形状を保つことができる。
【００１６】
またこの考案の態様として、前記立体形状保持部材は、前記鯉のぼり本体の口部と尾びれ部に対応する両端面が化粧部材で覆われている構成とすることができる。
【００１７】
これにより、立体形状保持部材の表面が美しくない場合や立体形状保持部材が変色したような場合に外から見た美観に悪影響を与えることを防止でき、化粧部材により美しい美観を保つことができる。
【００１８】
またこの考案の態様として、前記立体形状保持部材は、円筒形状に形成することができる。  
これにより、中央部の内径が口部や尾びれ部よりも大きい鯉のぼりの内側に容易に立体形状保持部材を挿入して製造することができる。
【００１９】
またこの考案の態様として、前記支柱は、鉛直支柱と、その上端付近に一端付近が装着される水平支柱とで構成され、該水平支柱により前記吹き流し本体の口部が前記鉛直支柱に近接する配置で該吹き流し本体を装着する構成とし、該吹き流し本体の下端中央付近と前記鯉のぼり本体の背びれ部とを連結部材で連結し、前記吹き流し本体の口部の上下と前記鯉のぼり本体の口部の上下に固定紐を挿通する固定紐挿通孔をそれぞれ設け、１本の固定紐を各固定紐挿通孔に巻きつけながら順番に挿通し、該固定紐を、各吹き流し本体および鯉のぼり本体の間部分で前記鉛直支柱に取り付け部材で取り付ける構成とすることができる。  
これにより、口部の位置を安定させることができ、美しい姿を安定して保つことができる。
【００２０】
またこの考案の態様として、前記連結部材は、一端が前記吹き流し本体の下端中央付近に装着される連結紐と、該連結紐の他端に接続されて前記鯉のぼり本体の背びれ部を挟持する挟持具とで構成することができる。  
これにより、最上段の吹き流し本体から順番に鯉のぼり本体を吊り下げることができ、このときに背びれ部を挟持して吊り下げることで背中部分が上方へ凸となる鯉の形状を容易に作り出すことができる。
【考案の効果】
【００２１】
この考案により、取扱の簡便性に優れ、しかも美しい形を保つことができる室内鯉のぼりセットを提供し、利用者の満足度を向上させることができる。
【考案を実施するための最良の形態】
【００２２】
この考案の一実施形態を以下図面と共に説明する。  
図１は、室内鯉のぼりセット１の全体構成を示す斜視図である。
【００２３】
室内鯉のぼりセット１は、鉛直の支柱２３を有する飾り台２と、該飾り台２の上部に一端が接触または近接するように取り付けた吹き流し４と、該吹き流し４の下方へ順番に並べた複数の鯉のぼり６（６ａ〜６ｃ）とで構成されている。なお、鯉のぼり６は、上から順に大鯉のぼり６ａ、中鯉のぼり６ｂ，小鯉のぼり６ｃと大きさが次第に小さくなっており、黒、赤、青とこの順で配色されているが、これに限らない。
【００２４】
飾り台２は、床面や畳面などの設置面に置かれる台部２９と、該台部２９の上方へ鉛直に伸びる棒状の支柱２３と、該支柱２３の上部に設けられた２つの風車２２と、さらに支柱２３の先端に設けられた金球２１とで構成されている。
【００２５】
２つの風車２２は、支柱２３が縦軸となる十字軸の横軸両端に中心が取り付けられている。これにより、２つの風車２２は、対向配置され、それぞれ独立して回転することができる。
【００２６】
支柱２３は、風車２２の少し下の位置に、図２に示すように紐２５の一端を結び付けるための取付金具２４が設けられている。また、支柱２３は、取付金具２４の少し下の位置に、水平配置される横棒２６の一端が固定されている。
【００２７】
吹き流し４は、表面に模様が表された布を円筒形に縫合した吹き流し本体４０と、該吹き流し本体４０の内側に挿通された円筒形の発泡ウレタンＵ１とで構成されている。  
吹き流し本体４０は、一端に口縁４１が設けられており、この口縁４１にリング状の針金（図示省略）が嵌め込まれている。これにより、口縁４１が綺麗な円形を保つとともに、該口縁４１から発泡ウレタンＵ１を挿入しやすくなっている。
【００２８】
口縁４１の近傍は、上下に貫通孔４２が設けられており、この貫通孔４２に紐２５を挿通できるように構成されている。
【００２９】
吹き流し本体４０における口縁４１の他方端には、円形の開口縁４４が設けられている。この開口縁４４は、布端に環縫い等の処理が施されており、これによって布端がほつれないように処理されている。
【００３０】
吹き流し本体４０の下部中央には、吊り下げ具８が設けられている。この吊り下げ具８は、吹き流し本体４０の下部中央に一端が固定された吊り紐８１と、この吊り紐８１の他端に固定された挟持具８２とで構成されている。この挟持具８２は、下方に配置される鯉のぼり６の背びれ６３を挟持する。
【００３１】
発泡ウレタンＵ１の両端には、円盤状の白色の化粧板Ｃ１が設けられている。この化粧板Ｃ１は、発泡ウレタンＵ１の直径と同サイズに形成されており、発泡ウレタンＵ１の色が外部から見えないようにされている。これにより、発泡ウレタンＵ１が変色しても美観に影響を与えないようにしている。
【００３２】
このように構成された吹き流し４は、発泡ウレタンＵ１の上の吹き流し本体４０との隙間部分に口縁４１から横棒２６が奥まで挿通され、この横棒２６によって水平状態で取り付けられる。横棒２６の長さは、吹き流し本体４０の長さよりも少し短い程度となっている。これにより、吹き流し本体４０の外から横棒２６が見えず、かつ、吹き流し本体４０のほぼ全長に渡って横棒２６が存在するように構成されている。
【００３３】
吹き流し４の口縁４１は、支柱２３に接触または近接する位置となるように、貫通孔４２に挿通された紐２５によって固定されている。これにより、吹き流し４は、飾り台２に水平状態で安定して取り付けられ、発泡ウレタンＵ１によって立体形状が保たれている。
【００３４】
図３に示すように、鯉のぼり６（６ａ，６ｂ，６ｃ）は、鯉の模様が付された布を鯉の形状に縫合した鯉のぼり本体６０と、該鯉のぼり本体６０の内側に挿通された円筒形の発泡ウレタンＵ２とで構成されている。  
図４の一部拡大縦断面図に示すように、鯉のぼり本体６０は、一端に口縁６１が設けられており、この口縁６１にリング状の針金６７が嵌め込まれている。この針金６７は、形状を保ちやすいように弾性の針金で構成されている。これにより、口縁６１が綺麗な円形を保つとともに、該口縁６１から発泡ウレタンＵ２を挿入しやすくなっている。
【００３５】
口縁６１の近傍は、上下に貫通孔６２が設けられており、この貫通孔６２に紐２５を挿通できるように構成されている。
【００３６】
図３に示すように、鯉のぼり本体６０の全体形状は、この円筒形の口縁６１から中央に向かってやや内径が大となるようにゆるやかに膨らみ、さらに中央から尾びれ６４へ向かってやや内径が小となって尾びれ６４の付け根付近で口縁６１と同程度の内径となり、さらに尾びれ先端６５に向かって内径大となって広がるように形成されている。この鯉のぼり本体６０は、図５（Ａ）に示すように、上辺の内側に縫い代６６が設けられており、上述した背びれ６３がこの縫い代６６に縫い付けられて固定されている。
【００３７】
鯉のぼり本体６０の上辺中央には、背びれ６３が設けられている。この背びれ６３は、２枚の布を縫い合わせて縫い代が内側となるように形成されている。これにより、背びれ６３の一部を吊り上げれば背びれ６３全体がしっかりと立つ程度の強度に形成されている。
【００３８】
鯉のぼり本体６０における口縁６１の他方側には、尾びれ６４が設けられている。この尾びれ６４は、付け根から先端に向かって広がり、上下部分が上下方向中央部よりも上下に広がる形状に形成されて、尾びれ先端６５が図５（Ａ）に示すように略く字型となるように構成されている。この尾びれ先端６５は、布端に環縫い等の処理が施されており、これによって布端がほつれないように処理されている。
【００３９】
尾びれ６４の上辺部分は、図５（Ｂ）のＡ−Ａ部分拡大断面図に示すように、糸Ｔで縫合されて縫い代６６が内側に設けられている。この縫い代６６には、カラー帯７０が糸Ｔによって縫合されている。カラー帯７０は、針金７２を帯状のビニル素材７１で挟んだものである。つまり、このカラー帯７０は、全体が帯形状でその一辺の内側に針金７２が埋設されている。この針金７２は塑性変形する針金である。
【００４０】
そして、縫い代６６を縫合している糸Ｔに針金７２側を近接させて配置し、この状態でビニル素材７１が縫い代６６に糸Ｔで縫合されている。このカラー帯７０は、尾びれ６４の付け根付近から尾びれ先端６５までの長さＬ１に渡って設けられており、長さＬ３に渡って設けられている発泡ウレタンＵ２と、尾びれ６４の付け根付近の長さＬ２で発泡ウレタンＵ２と重なるように設けられている。
【００４１】
これにより、尾びれ６４部分の縫い代６６にカラー帯７０を取り付けることができ、尾びれ６４の上辺の形状をカラー帯７０の針金７２の形状保持力を利用して自由な形状に調整することができる。
【００４２】
３つの鯉のぼり６ａ〜６ｃのうち、最下部に配置される鯉のぼり６ｃ以外の鯉のぼり６ａ，６ｂは、鯉のぼり本体６０の下部中央に、上述した吊り下げ具８が設けられている。すなわち、鯉のぼり本体６０の下部中央に、吊り下げ具８の吊り紐８１の一端が固定されている。
【００４３】
上述した発泡ウレタンＵ２の両端には、円盤状の白色の化粧板Ｃ２が設けられている。この化粧板Ｃ２は、発泡ウレタンＵ２の直径と同サイズに形成されており、発泡ウレタンＵ２の色が外部から見えないようにされている。これにより、発泡ウレタンＵ２が変色しても美観に影響を与えないようにしている。
【００４４】
このように構成された鯉のぼり６は、上部略中央の背びれ６３が吊り下げ具８の挟持具８２によって挟持され、これによって吊り下げられている。鯉のぼり６の口縁６１は、支柱２３に接触または近接する位置となるように、貫通孔６２に挿通された紐２５によって固定されている。これにより、鯉のぼり６は、飾り台２に水平状態で安定して取り付けられ、発泡ウレタンＵ２によって立体形状が保たれている。
【００４５】
以上の構成により、吹き流し４および鯉のぼり６をふくらみを持って略水平の美しい状態で室内に設置できる室内鯉のぼりセット１を提供することができる。  
吹き流し４は、横棒２６が挿通されるため、水平状態で安定して取り付けられ、発泡ウレタンＵ１によって美しい円筒形状を保つことができる。
【００４６】
また、発泡ウレタンＵ１，Ｕ２の両端には、化粧板Ｃ１，Ｃ２が設けられているため、発泡ウレタンＵ１，Ｕ２の変色が外観に影響を与えることがなく、常に美しい室内鯉のぼりセット１を提供できる。
【００４７】
鯉のぼり６は、発泡ウレタンＵ２によって、ふくらみのある美しい鯉の形状を保つことができる。また、背びれ６３が挟持具８２で挟持されて吊り下げられるため、鯉のぼり本体６０の背びれ６３付近を上方へ突出させることができ、実際の鯉の形状に近い背中の盛り上がった立体形状を容易に作り出すことができる。
【００４８】
また、吊り下げ具８は、吹き流し４や鯉のぼり６ａ，６ｂの下部中央に取り付けられているため、吹き流し４の挟持具８２で鯉のぼり６ａの背びれ６３を挟持し、鯉のぼり６ａの挟持具８２で鯉のぼり６ｂの背びれ６３を挟持し、鯉のぼり６ｂの挟持具８２で鯉のぼり６ｃの背びれ６３を挟持するだけで、順番にならぶ鯉のぼりを組み立てることができる。
【００４９】
また、一本の紐２５を、吹き流し４、鯉のぼり６ａ〜６ｃの順で各貫通孔４２，６２に挿通し、その都度一回転させて巻きつけているため、口縁４１，６１の位置を容易に固定することができる。
【００５０】
また、この紐２５を、各吹き流し４、鯉のぼり６ａ〜６ｃの間の位置で固定具２７で支柱２３に固定するため、吹き流し４および鯉のぼり６ａ〜６ｃの口縁４１，６１が支柱２３に近接あるいは接触した状態で安定させることができる。
【００５１】
鯉のぼり本体６０の尾びれ６４に設けられたカラー帯７０は、発泡ウレタンＵ２と一部重なっているため、発泡ウレタンＵ２で形作られる鯉のぼり本体６０のふくらみ形状を損なうことなく、徐々に自然な形で尾びれ６４をしっかりと立たせることができる。これにより、非常に美しく安定した尾びれ６４を簡単に作り出すことができる。
【００５２】
また、尾びれ６４の中央付近より尾びれ先端６５側には、発泡ウレタンＵ２が存在しないため、尾びれ６４の下辺は、先端へ向かって自然に下方へ広がり、美しい形を作り出すことができる。
【００５３】
また、発泡ウレタンＵ１，Ｕ２は軽量であるため、支柱２３が重みで湾曲するといったことがなく、搬送も容易であり、取扱性のよい室内鯉のぼりセット１を提供できる。
【００５４】
このようにして、簡単に組み立てることができ、しかも美しく泳いでいる状態の室内鯉のぼりセット１を提供できる。
【００５５】
なお、上述の実施例では、吹き流し４および鯉のぼり６に膨らみを持たせるものとして発泡ウレタンＵ１，Ｕ２を使用したが、これに限らず円筒形のスポンジ等を用いても良い。この場合も、上述と同様の効果を得ることができる。
【００５６】
この考案の構成と、上述の実施形態との対応において、
この考案の連結部材は、実施形態の吊り下げ具８に対応し、
以下同様に、
鉛直支柱は、支柱２３に対応し、
固定紐は、紐２５に対応し、
水平支柱は、横棒２６に対応し、
取り付け部材は、固定具２７に対応し、
吹き流し本体の口部は、口縁４１に対応し、
固定紐挿通孔は、貫通孔４２，６２に対応し、
鯉のぼり本体の口は、口縁６１に対応し、
尾びれ形状保持部材、針金を有する部材、コーティング針金は、カラー帯７０に対応し、
帯状部材は、ビニル素材７１に対応し、
連結紐は、吊り紐８１に対応し、
挟持具は、挟持具８２に対応し、
化粧素材は、化粧板Ｃ２に対応し、
立体形状保持部材および発泡ウレタンは、ウレタンＵ１，Ｕ２に対応するが、
この考案は、上述の実施形態の構成のみに限定されるものではなく、多くの実施の形態を得ることができる。
【図面の簡単な説明】
【００５７】
【図１】室内鯉のぼりセットの斜視図。
【図２】吹き流しの斜視図。
【図３】鯉のぼりの斜視図。
【図４】鯉のぼりの口縁付近の縦断面拡大図。
【図５】鯉のぼりの尾びれ付近の説明図。
【符号の説明】
【００５８】
１…室内鯉のぼりセット、４…吹き流し、６ａ〜６ｃ…鯉のぼり、８…吊り下げ具、２３…支柱、２５…紐、２６…横棒、２７…固定具、４１，６１…口縁、４２，６２…貫通孔、４０…吹き流し本体、６０…鯉のぼり本体、６４…尾びれ、６６…縫い代、７０…カラー帯、７１…ビニル素材、７２…針金、８１…吊り紐、８２…挟持具、Ｃ１，Ｃ２…化粧板、Ｕ１，Ｕ２…発泡ウレタン
【図１】
0003146978.tif 000003
【図２】
0003146978.tif 000004
【図３】
0003146978.tif 000005
【図４】
0003146978.tif 000006
【図５】
0003146978.tif 000007